(57)【要約】      （修正有）【課題】宅配用保冷ボックス内の牛乳瓶等を良好に鮮度保持して宅配できる宅配用保冷ボックスを提供する。【解決手段】エアキャップを内層としアルミ層を外層とした積層シートを用いて形成した容器状の本体を収納し、同様にエアキャップを内層としアルミ層を外層とした積層シートを用いて上部カバーを形成するとともに、容器状の本体の１辺に上部カバーを連結して開閉可能に取り付け、上部カバーの残る辺には垂下片をそれぞれ形成して保冷用内部ボックスを構成し、前記保冷用内部ボックスの容器状の本体内に飲料類とともに蓄冷材を収納し、その上で上部カバーの垂下片を容器状の本体の内側に収納した上、これらを宅配用保冷ボックス内に収納することにより、長時間飲料類を保冷することができるようにしたことを特徴とする。【選択図】図３
0003146002.tif 000002
【実用新案登録請求の範囲】
【請求項１】
エアキャップを内層としアルミ層を外層とした積層シートを用いて形成した容器状の本体を収納し、同様にエアキャップを内層としアルミ層を外層とした積層シートを用いて上部カバーを形成するとともに、容器状の本体の１辺に上部カバーを連結して開閉可能に取り付け、上部カバーの残る辺には垂下片をそれぞれ形成して保冷用内部ボックスを構成し、
前記保冷用内部ボックスの容器状の本体内に飲料類とともに蓄冷材を収納し、その上で上部カバーの垂下片を容器状の本体の内側に収納した上、
これらを宅配用保冷ボックス内に収納することにより、長時間飲料類を保冷することができるようにしたことを特徴とする飲料類の宅配用保冷ボックス。
【請求項２】
前記保冷用内部ボックスを形成する容器状の本体が、積層シートの各側辺を折畳んで構成する折畳み式となっており、各側辺の間をワンタッチで着脱可能なファスナで連結するようにしたことを特徴とする請求項1記載の飲料類の宅配用保冷ボックス。
【考案の詳細な説明】
【技術分野】
【０００１】
この考案は、牛乳等の瓶入り飲物を各家庭へ保冷した状態で宅配する飲料類の宅配用保冷ボックスに関するものである。
【背景技術】
【０００２】
近年、瓶入り牛乳を各家庭に絞り立ての鮮度を保持した状態で宅配するために、例えば図４に示すような宅配用保冷ボックス４１内に牛乳瓶４２・・・を入れ、牛乳瓶４２・・・上に板状の蓄冷剤４３を載せ、宅配用保冷ボックス４１内の蓋４１ａを密封した状態で各家庭に届けている。
この宅配用保冷ボックス４１は外周がプラスチックで形成され、その内側に発泡ポリエチレンが貼着等されて断熱構造に形成されたものであり、例えば内部には６〜８本の牛乳瓶４２・・・が入るように設計されたものである。
【０００３】
また、従来の板状蓄冷剤４３は、樹脂をブロー成形した容器内に液体状の蓄冷剤が封入されたものであり、冷凍庫内で凍結させた後に宅配用保冷ボックス４１内に入れ、この板状蓄冷剤４３から発せられる冷気により牛乳瓶４２・・・を保冷できるようにしている。
【０００４】
しかしながら前記従来の、宅配用保冷ボックス４１内に牛乳瓶４２・・・を入れ、牛乳瓶４２・・・上に板状の蓄冷剤４３を載せ、宅配用保冷ボックス４１の蓋４１ａを密封した状態で保冷する構造においては、長時間の保冷が困難であった。
すなわち、宅配用保冷ボックス４１内の保冷効果が不十分であることが判明している。表１に従来の保冷構造において、時間の経過とともに内部の温度が変化する様子を示す。
【表１】
0003146002.tif 000003
直射日光の下で水道水を入れた牛乳瓶６本を蓄冷剤３個とともに宅配用保冷ボックス内に入れて実験した。
以上のように、結果として要冷蔵（１０℃以下）の温度管理が徹底できないことが判明した。
【０００５】
そこで、特開平７−２２３６７７号公報（特許文献１参照）では、蓄冷剤として通気性フイルムと非通気性フイルムを所定間隔で貼り合わせたシール部間に吸水性樹脂を封入した袋部が形成されてなる分包状の保冷シートを用い、該保冷シートの前記吸水性樹脂に含水させかつ凍結させた後に、前記シール部を適宜折り曲げて保冷シートで牛乳瓶を包囲するようにした保冷構造が提案されている。
【特許文献１】特開平７−２２３６７７号公報
【考案の開示】
【考案が解決しようとする課題】
【０００６】
このような保冷構造においても、宅配用保冷ボックス内に牛乳瓶が収納され、各牛乳瓶の上面側に良好に分包状の保冷シートが載置されて上方より冷気を各牛乳瓶に流下させることができるが、問題は牛乳瓶の側面の温度変化である。
すなわち、分包状の保冷シートでは牛乳瓶の側面が包み込まれておらず、前記の宅配用保冷ボックス内の温度分布には充分な対応ができない。ちなみに特開平７−２２３６７７号公報（特許文献１参照）記載の宅配用保冷ボックスにおいても全体を包み込むものではないため、前記表１に示したと同様の保冷効果しかえられないものと考えられる。
【０００７】
そこでこの考案は上記従来の問題点に鑑みて考案されたものであって、宅配用保冷ボックス内の牛乳瓶等を良好に鮮度保持して宅配できる宅配用保冷ボックスを提供しようとするものである。
【課題を解決するための手段】
【０００８】
すなわちこの考案の飲料類の宅配用保冷ボックスは、エアキャップを内層としアルミ層を外層とした積層シートを用いて形成した容器状の本体を収納し、同様にエアキャップを内層としアルミ層を外層とした積層シートを用いて上部カバーを形成するとともに、容器状の本体の１辺に上部カバーを連結して開閉可能に取り付け、上部カバーの残る辺には垂下片をそれぞれ形成して保冷用内部ボックスを構成し、
前記保冷用内部ボックスの容器状の本体内に飲料類とともに蓄冷材を収納し、その上で上部カバーの垂下片を容器状の本体の内側に収納した上、
これらを宅配用保冷ボックス内に収納することにより、長時間飲料類を保冷することができるようにしたことを特徴とするものである。
【０００９】
この考案の飲料類の宅配用保冷ボックスは、前記保冷用内部ボックスを形成する容器状の本体が、積層シートの各側辺を折畳んで構成する折畳み式となっており、各側辺の間をワンタッチで着脱可能なファスナで連結するようにしたことをも特徴とするものである。
【００１０】
前記積層シートに用いられるエアキャップとは、プラスチックフィルムの貼り合わせに気泡を持たせた緩衝材であり、プチプチやエアマット、エアクッションなどともよばれている。
また前記積層シートは、エアキャップを内層としアルミ層を外層としたものであって、非常に保冷効果に優れたものである。
【００１１】
この考案においては、前記積層シートを１枚のシートで形成し、これをエアキャップを内層としアルミ層を外層として容器状の本体を形成するとともに、同様にエアキャップを内層としアルミ層を外層とした積層シートを用いて上部カバーを形成し、かつ容器状の本体の１辺に上部カバーを連結して開閉可能に取り付けた構造としている。
したがって、宅配用保冷ボックス内に容器状の本体を収納して上部カバーでその開口部を覆い、垂下片を容器状の本体内にはめ込むことにより、宅配用保冷ボックス内に保冷素材を用いて形成した保冷用内部ボックスが形成される。
そこで、この保冷用内部ボックス内に蓄冷剤とともに牛乳瓶等の飲料類を収納し、上部カバーを閉じて宅配用保冷ボックス内に収納すれば、非常に保冷効果に優れた宅配用保冷ボックスが得られるのである。
【考案の効果】
【００１２】
この考案は、牛乳瓶に入れた飲料類を断熱性の宅配用保冷ボックス内に入れ、該宅配用保冷ボックス内には蓄冷剤を入れて宅配するための宅配用保冷ボックスであって、要冷蔵（１０℃以下）の温度管理を行うことができるとともに、飲料類の出し入れが非常に簡単に行うことができる飲料類の宅配用保冷ボックスを提供することが可能となった。
また前記保冷用内部ボックスを形成する容器状の本体が、積層シートの各側辺を折畳んで構成する折畳み式となっており、また各側辺の間をワンタッチで着脱可能なファスナで連結するように構成されている。
したがって、保冷用内部ボックスは使用時には迅速に容器状の本体を形成することができ、また不使用時には開いてシート状で保管することができるので場所を取らず、非常に取扱いやすい飲料類の宅配用保冷ボックスを提供することが可能となった。
【考案を実施するための最良の形態】
【００１３】
以下、この考案の飲料類の宅配用保冷ボックスの実施の形態を図面に基いて詳細に説明する。
図において、図１は牛乳瓶からなる飲料類を宅配する場合の宅配用保冷ボックスに収納する保冷用内部ボックスの１実施例を示す斜視図、図２はその展開図、図３は使用状態の概略断面図である。
【００１４】
図１および図２において、この考案の飲料類の宅配用保冷ボックスに収納して使用される保冷用内部ボックス１１は、容器状の本体１２と上部カバー１３とで構成されている。
すなわちエアキャップ２２を内層としアルミ層２３を外層とした積層シート２１を用いて形成した容器状の本体１２と、同様にエアキャップ２２を内層としアルミ層２３を外層とした積層シート２１を用いて形成した上部カバー１３を備えており、容器状の本体１２の１辺に上部カバー１３を連結して開閉可能に取り付けてある。１４は上部カバー１３の前記連結辺以外の辺に形成した垂下片である。
【００１５】
そして、前記保冷用内部ボックスを形成する容器状の本体１２は、積層シート２１の各側辺を折畳んで構成する折畳み式となっており、各側辺１５の間をワンタッチで着脱可能なファスナ１６で連結してある。
図においてファスナ１６は、各側辺１５の端部に取り付けたベルクロファスナ等の面ファスナが示されているが、スライドファスナその他のファスナを用いて連結したり、粘着テープ等で接着するようにしてもよい。
【００１６】
以上のように構成した前記保冷用内部ボックス１１は、容器状の本体１２内に例えば牛乳瓶３１からなる飲料類とともにその両側に蓄冷材３２を収納し、その上で上部カバー１３の垂下片１４を容器状の本体１２の内側に収納したのち、これらを宅配用保冷ボックス３３内に収納して使用する。
このように保冷用内部ボックス１１の容器状の本体１２内に牛乳瓶３１からなる飲料類とともにその両側に蓄冷材３２を収納し、その上で宅配用保冷ボックス３３内に収納して使用することにより、長時間にわたって飲料類を保冷することができるようになったのである。
【００１７】
前記積層シート２１に用いられるエアキャップ２２とは、プラスチックフィルムの貼り合わせに気泡を持たせた緩衝材であり、プチプチやエアマット、エアクッションなどともよばれている。
また前記積層シート２１は、エアキャップ２２を内層としアルミ層２３を外層としたものであって、非常に保冷効果に優れたものである。
【００１８】
表２に上記実施例の保冷構造において、時間の経過とともに内部の温度が変化する様子を示す。
【表２】
0003146002.tif 000004
直射日光の下で水道水を入れた牛乳瓶６本を蓄冷剤３個とともに保冷用内部ボックスに入れ、その上で宅配用保冷ボックス内に入れて実験した。
以上のように、結果として要冷蔵（１０℃以下）の温度管理を確実に行えることが判明した。
【産業上の利用可能性】
【００１９】
この考案の宅配用保冷ボックスによれば、宅配用に住宅の玄関等に設置して使用される用途のみならず、要冷蔵（１０℃以下）に保持することが求められる種々の飲料類の保冷用として、適宜の用途に利用することが可能である。
【図面の簡単な説明】
【００２０】
【図１】牛乳瓶からなる飲料類を宅配する場合の宅配用保冷ボックスに収納する保冷用内部ボックスの１実施例を示す斜視図である。
【図２】その展開図である。
【図３】使用状態の概略断面図である。
【図４】従来の宅配用保冷ボックスの概略斜視図である。
【符号の説明】
【００２１】
１１  保冷用内部ボックス
１２  容器状の本体
１３  上部カバー
１４  垂下片
１５  側片
１６  ファスナ
２１  積層シート
２２  エアキャップ
２３  アルミ層
３１  牛乳瓶
３２  蓄冷材
３３  宅配用保冷ボックス
【図１】
0003146002.tif 000005
【図２】
0003146002.tif 000006
【図３】
0003146002.tif 000007
【図４】
0003146002.tif 000008